(57)【要約】  複数のシステム及び方法が、赤緑青白（ＲＧＢＷ）ディスプレイと関連付けられた動作モードを判断し、動作モードに基づいてＲＧＢＷディスプレイの黄／白（Ｙ／Ｗ）輝度比を制御するために提供され得る。一例において、Ｙ／Ｗ輝度比は、ＲＧＢＷディスプレイが低電力モードである場合に減らされ、ＲＧＢＷディスプレイが高色忠実度モードである場合に増やされる。
2016532885.tif 000002
【特許請求の範囲】
【請求項１】
色忠実度を制御するシステムであって、
前記システムに電力を供給するバッテリと、
赤緑青白（ＲＧＢＷ）ディスプレイと、
少なくとも部分的に固定機能ハードウェアに実装され、前記ＲＧＢＷディスプレイと関連付けられた動作モードを判断し、前記動作モードに基づいて前記ＲＧＢＷディスプレイの黄／白（Ｙ／Ｗ）輝度比を制御するロジックとを備える、システム。
【請求項２】
前記ロジックは、前記ＲＧＢＷディスプレイが低電力モードである場合に、前記Ｙ／Ｗ輝度比を減少させ、前記ＲＧＢＷディスプレイが高色忠実度モードである場合に、前記Ｙ／Ｗ輝度比を増加させる、請求項１に記載のシステム。
【請求項３】
前記動作モードは、ユーザプレファレンスに基づいて判断される、請求項１又は２に記載のシステム。
【請求項４】
前記ロジックは、ユーザインターフェース（ＵＩ）を生成し、前記ＵＩを介して前記ユーザプレファレンスを受け取る、請求項３に記載のシステム。
【請求項５】
前記動作モードは、画像に基づいて判断される、請求項１又は２に記載のシステム。
【請求項６】
前記ロジックは、前記画像と関連付けられたヒストグラムが飽和色優位を示す場合に、高色忠実度モードの動作を選択し、前記画像に関連付けられた前記ヒストグラムが飽和色優位を示さない場合に、低電力モードの動作を選択する、請求項５に記載のシステム。
【請求項７】
色忠実度を制御する装置であって、
少なくとも部分的に固定機能ハードウェアに実装され、赤緑青白（ＲＧＢＷ）ディスプレイと関連付けられた動作モードを判断し、前記動作モードに基づいて前記ＲＧＢＷディスプレイの黄／白（Ｙ／Ｗ）輝度比を制御するロジックを備える、装置。
【請求項８】
前記ロジックは、前記ＲＧＢＷディスプレイが低電力モードである場合に、前記Ｙ／Ｗ輝度比を減少させ、前記ＲＧＢＷディスプレイが高色忠実度モードである場合に、前記Ｙ／Ｗ輝度比を増加させる、請求項７に記載の装置。
【請求項９】
前記動作モードは、ユーザプレファレンスに基づいて判断される、請求項７又は８に記載の装置。
【請求項１０】
前記ロジックは、ユーザインターフェース（ＵＩ）を生成し、前記ＵＩを介して前記ユーザプレファレンスを受け取る、請求項９に記載の装置。
【請求項１１】
前記動作モードは、画像に基づいて判断される、請求項７又は８に記載の装置。
【請求項１２】
前記ロジックは、前記画像に関連付けられたヒストグラムが飽和色優位を示す場合に、高色忠実度モードの動作を選択し、前記画像に関連付けられた前記ヒストグラムが飽和色優位を示さない場合に、低電力モードの動作を選択する、請求項１１に記載の装置。
【請求項１３】
色忠実度を制御する方法であって、
赤緑青白（ＲＧＢＷ）ディスプレイと関連付けられた動作モードを判断する段階と、
前記動作モードに基づいて前記ＲＧＢＷディスプレイの黄／白（Ｙ／Ｗ）輝度比を制御する段階とを備える、方法。
【請求項１４】
前記Ｙ／Ｗ輝度比を制御する段階は、
前記ＲＧＢＷディスプレイが低電力モードである場合に、前記Ｙ／Ｗ輝度比を減少させる段階と、
前記ＲＧＢＷディスプレイが高色忠実度モードである場合に、前記Ｙ／Ｗ輝度比を増加させる段階とを含む、請求項１３に記載の方法。
【請求項１５】
前記動作モードは、ユーザプレファレンスに基づいて判断される、請求項１３又は１４に記載の方法。
【請求項１６】
ユーザインターフェース（ＵＩ）を生成する段階と、
前記ＵＩを介して前記ユーザプレファレンスを受け取る段階とを更に含む、請求項１５に記載の方法。
【請求項１７】
前記動作モードは、画像に基づいて判断される、請求項１３又は１４に記載の方法。
【請求項１８】
前記画像と関連付けられたヒストグラムが飽和色優位を示す場合に、高色忠実度モードの動作を選択する段階と、
前記画像と関連付けられた前記ヒストグラムが飽和色優位を示さない場合に、低電力モードの動作を選択する段階とを更に含む、請求項１７に記載の方法。
【請求項１９】
複数の命令のセットを備え、
前記複数の命令のセットは、デバイスによって実行されると、デバイスに、赤緑青白（ＲＧＢＷ）ディスプレイと関連付けられた動作モードを判断させ、
前記動作モードに基づいて前記ＲＧＢＷディスプレイの黄／白（Ｙ／Ｗ）輝度比を制御させる、非一時的コンピュータ可読記憶媒体。
【請求項２０】
前記複数の命令は、実行されると、デバイスに、前記ＲＧＢＷディスプレイが低電力モードである場合に、前記Ｙ／Ｗ輝度比を減少させ、
前記ＲＧＷＢディスプレイが高色忠実度モードである場合に、前記Ｙ／Ｗ輝度比を増加させる、請求項１９に記載の媒体。
【請求項２１】
前記動作モードは、ユーザプレファレンスに基づいて判断される、請求項１９又は２０に記載の媒体。
【請求項２２】
前記複数の命令は、実行されると、デバイスに、ユーザインターフェース（ＵＩ）を生成させ、
前記ＵＩを介して前記ユーザプレファレンスを受け取らせる、請求項２１に記載の媒体。
【請求項２３】
前記動作モードは、画像に基づいて判断される、請求項１９又は２０に記載の媒体。
【請求項２４】
前記複数の命令は、実行されると、デバイスに、前記画像と関連付けられたヒストグラムが飽和色優位を示す場合に、高色忠実度モードの動作を選択させ、
前記画像と関連付けられた前記ヒストグラムが飽和色優位を示さない場合に、低電力モードの動作を選択させる、請求項２３に記載の媒体。
【請求項２５】
色忠実度を制御する装置であって、
請求項１３又は１４に記載の方法を実行する手段を備える、装置。
【発明の詳細な説明】
【技術分野】
【０００１】
実施形態は、概して、ディスプレイに関する。より具体的には、実施形態はＲＧＢＷ（赤緑青白）ディスプレイにおけるダイナミックな色忠実度の制御に関する。
【背景技術】
【０００２】
従来の液晶ディスプレイ（ＬＣＤ）は、2枚の薄いガラス基板の間に挟まれた液晶を具備し得る。バックライトランプから放射された光は、液晶によって制御され得る。ここで、色の表示を可能にすべく、カラーフィルタが複数のガラス基板の1枚の上に形成され得る。従来の赤緑青（ＲＧＢ）のカラーフィルタの各画素は、赤緑青の成分を有する３サブピクセル構成を具備し得る。カラーフィルタ技術の最近の開発は、ＲＧＢＷカラーフィルタの形成をもたらした。ここで、ＲＧＢＷカラーフィルタの各画素は、青白（ＢＷ）成分又は赤緑（ＲＧ）成分のいずれかで、２サブピクセル構成を具備し得る。ＲＧＢＷカラーフィルタは、従来のＲＧＢカラーフィルタと比べて、透過率、解像度、及び電力効率が増加し得る一方、ＲＧＢカラーフィルタ構成と比較して、黄色の飽和度が、ＲＧ／フルホワイト比の減少に起因して減少し得る。
【図面の簡単な説明】
【０００３】
以下の明細書及び添付の特許請求の範囲を読むことによって、並びに以下の図面を参照することによって、複数の実施形態の様々な利点が当業者に明らかになるだろう。
【０００４】
【図１】ＲＧＢカラーフィルタレイアウト及びＲＧＢＷカラーフィルタレイアウトの一例の例示である。
【０００５】
【図２】一実施形態に従った、モード変更アプローチの一例のブロック図である。
【０００６】
【図３】一実施形態に従った、色忠実度を制御する方法の一例のフローチャートである。
【０００７】
【図４】一実施形態に従った、ユーザインターフェースの一例の例示である。
【０００８】
【図５】一実施形態に従った、一対の画像及び関連付けられたヒストグラムの一例の例示である。
【０００９】
【図６】一実施形態に従った、通信リンクの一例のブロック図である。
【００１０】
【図７】一実施形態に従った、モバイルデバイスの一例のブロック図である。
【発明を実施するための形態】
【００１１】
ここで図１を参照すると、カラーフィルタレイアウトのセットが示される。概して、レイアウトは色の表示を可能にすべく、液晶ディスプレイ（ＬＣＤ）に使用され得る。例示された例において、赤緑青（ＲＧＢ）のレイアウト１０は３サブピクセル構成を具備し、ここで各画素は赤緑青の成分を含む。一方、赤緑青白（ＲＧＢＷ）のレイアウト１２は、２サブピクセル構成を具備し得て、ここで各画素は青白（ＢＷ）成分又は赤緑（ＲＧ）成分のいずれかを含む。各ＢＷ成分の白のサブピクセルは、比較的大きなバックライトエネルギーがフィルタを通過することを可能にし得る。その結果、電力消費は低減され得る。更に、ＲＧＢＷレイアウト１２のサブピクセルの幅がより大きいことで、解像度が増加し、更に電力効率が高まる。しかしながら特に注目すべきは、ＲＧＢＷレイアウト１２が、ＲＧＢレイアウト１０より低い赤緑（ＲＧ）／フルホワイト比を具備し得るということである。更に、赤と緑の光が混ざって黄色の光を形成するので、フルホワイトに対する黄色の飽和度は、ＲＧＢレイアウト１０と比較して、ＲＧＢＷレイアウト１２によって実現するのは、より困難になり得る。 より詳細に説明されるように、ダイナミックな色忠実度の解決法は、ＲＧＢＷディスプレイの黄／白（Ｙ／Ｗ）輝度比を選択的に高め、黄色の飽和度又は電力消費に関するあらゆる問題を除去するために、使用され得る。
【００１２】
図２は、ＲＧＢＷディスプレイのモード変更アプローチを示す。ここでＲＧ画素１４は、ＲＧＢＷディスプレイが低電力モードであるときに鈍い黄色の出力１６を有し、ＲＧＢＷディスプレイが高色忠実度モードであるときに明るい黄色の出力１８を有する。概してモード変更は、ＲＧＢＷディスプレイのＹ／Ｗ輝度比を制御することによって実現され得る。例えば、低電力モードでは４５％のＹ／Ｗ輝度比が使用され得る。そのようなシナリオでは、鈍い黄色の出力１６は約６７．５ｃｄ／ｍ２の輝度を有し、白の出力２０は約１５０ｃｄ／ｍ２の輝度を有する。一方、高色忠実度モードでは、９０％のＹ／Ｗ輝度比が使用され得る。ここで、明るい黄色の出力１８は約１３５ｃｄ／ｍ２の輝度を有し、白の出力２２は約１５０ｃｄ／ｍ２の輝度を有する。本明細書に使用された特定の値は、説明を容易にする目的のみである。
【００１３】
低電力モードのＹ／Ｗ輝度比の減少は、高色忠実度モードのＹ／Ｗ輝度比の増加と比較して（例えば、３．２Ｗ）、著しく低い電力消費（例えば、１．６Ｗ）をもたらし得る。したがって、Ｙ／Ｗ輝度比の減少は、バッテリ寿命が一番の問題である場合（例えば、モバイルプラットフォーム／デバイスにおいて）、許容可能であり得る。一方、高色忠実度モードのＹ／Ｗ輝度比の増加は、低電力モードのＹ／Ｗ輝度比の減少と比較して、著しく大きい黄色の飽和度をもたらし得る。したがって、Ｙ／Ｗ輝度比の増加は、色忠実度が一番の問題である場合、許容可能であり得る。例示された例において、白の出力２４は、輝度（例えば、約１５０ｃｄ／ｍ２）及び電力消費（例えば、１．６Ｗ）の両方に関して、低電力モード及び高色忠実度モードの両方で同一であり得る。
【００１４】
ここで図３を参照すると、色忠実度を制御する方法２６が示される。方法２６は、例えば、ランダムアクセスメモリ（ＲＡＭ）、リードオンリメモリ（ＲＯＭ）、プログラマブルＲＯＭ（ＰＲＯＭ）、ファームウェア、フラッシュメモリなどの機械可読記憶媒体又はコンピュータ可読記憶媒体に、例えば、プログラマブルロジックアレイ（ＰＬＡ）、フィールドプログラマブルゲートアレイ（ＦＰＧＡ）、複合プログラマブルロジックデバイス（ＣＰＬＤ）などの設定可能ロジックに、例えば、特定用途向け集積回路（ＡＳＩＣ）、相補型金属酸化膜半導体（ＣＭＯＳ）又はトランジスタ−トランジスタロジック（ＴＴＬ）技術などの回路技術を用いる固定機能ロジックハードウェアに、又はそれらの任意の組み合わせに格納された複数のロジック命令のセットとして実装され得る。例えば、方法２６に示された複数の処理を実行するコンピュータプログラムコードは、Ｊａｖａ（登録商標）、Ｓｍａｌｌｔａｌｋ、Ｃ＋＋、又は同様のものなどのオブジェクト指向プログラミング言語、「Ｃ」プログラミング言語又は類似の複数のプログラミング言語などの従来の手続き型プログラミング言語を含む、１又は複数のプログラミング言語の任意の組み合わせで記述され得る。
【００１５】
例示された処理ブロック２８は、ＲＧＢＷディスプレイと関連付けられた動作モードを判断する。動作モードは、ＲＧＢＷディスプレイを介して提示される１又は複数のユーザプレファレンス、及び／又は、１又は複数の画像に基づいて判断され得る。例えば、図４は、ユーザインターフェース（ＵＩ）３０が、ユーザプレファレンスを受け取るべく生成され得ることを示す。例示された例において、スライドバー３２は、ユーザが「最大バッテリ」（例えば低電力モード）及び「最大品質」（例えば、高色忠実度モード）の間で、可変設定を確定することを可能にする。以下の表１は、スライドバー３２と共に使用され得る所定のＹ／Ｗ輝度比のセットの一例を示す。
【表１】
2016532885.tif 000003
【００１６】
更に、図５は、高飽和度画像３４がＲＧＢＷディスプレイを介して提示される場合、値のヒストグラム３６（例えば、色相、飽和度、値／ＨＳＶヒストグラム）は、画像３４において飽和色優位を示し得ることを示す。この点に関して、色の色相（Ｈ）は、それがどの純粋色に類似しているかを指し（例えば、全ての赤のティント、トーン、シェイドは同一の色相を有する）、色の飽和度（Ｓ）は、色がどれだけ白いかを表現し得る（例えば、純粋な赤は飽和度１で完全飽和し、赤のティントは１より小さい飽和度を有し、白は飽和度０を有する）。一方、色の明度／値（Ｖ）は、色がどれほど暗いかを表現し得る（例えば、０の値は黒であり、黒から離れていくと明度が増加する）。
【００１７】
したがって、値のヒストグラム３６が飽和色優位を示す場合、ＲＧＢＷディスプレイは高色忠実度モードの動作であることが推測され得る。一方、低飽和度画像３８がＲＧＢＷディスプレイを介して提示される場合、値のヒストグラム４０は、ＲＧＢＷディスプレイが低電力モードの動作に置かれることが可能であることを示し得る。以下の表２、ヒストグラム３６、４０と共に使用され得るＹ／Ｗ輝度比のセットを示す。
【表２】
2016532885.tif 000004
【００１８】
ここで図３に戻ると、ブロック４２においてＲＧＢＷディスプレイが低電力モードであると判断された場合、ブロック４４はＲＧＢＷのＹ／Ｗ輝度比を比較的低い値に設定し得る（例えば、Ｙ／Ｗ輝度比を低減し得る）。そのようなアプローチは、電力消費の著しい減少及びバッテリ寿命の増加を可能にし得る。ブロック４２において、ＲＧＢＷディスプレイが低電力モードではないと判断された場合、ＲＧＢＷディスプレイは高色忠実度モードであり得るので、例示されたブロック４６はＹ／Ｗ輝度比を比較的高い値に設定する（例えば、Ｙ／Ｗ輝度比を増加させる）。Ｙ／Ｗ輝度比を比較的高い値も設定することは、品質を改善し得る。
【００１９】
図６は、Ｙ／Ｗ輝度比を制御する１つのアプローチを示す。例示された例において、プロセッサ５０及びＲＧＢＷディスプレイ５３の間の通信リンク４８（４８ａ、４８ｂ）は、色忠実度の制御情報の転送を容易にする。プロセッサ５０は、概して、上記の方法２６（図３）の機能を提供するように構成されたロジック５２を具備し得る。より具体的には、補助リンク４８ｂは、プロセッサ５０のロジック５２とＲＧＢＷディスプレイ５３のタイミング制御装置（ＴＣＯＮ）５４との間で、認識された拡張表示識別（ＥＤＩＤ）情報、及び複数の比設定コマンドを伝え得る。例示されたタイミング制御装置５４は、複数のコマンド及び関連情報を格納すべく、補助レジスタ及び／又は拡張レジスタなど様々なレジスタ５６を具備する。主リンク４８ａは、ＲＧＢＷカラーフィルタを有するＬＣＤパネル５８を介して、提示されたデータ（例えば、画像、ビデオ、視覚コンテンツ）を伝え得る。一例において、リンク４８はディスプレイポート規格（例えば、埋め込みディスプレイポート規格（ｅＤＰ）バージョン１．３、２０１１年１月、ビデオ・エレクトロニクス・スタンダーズ・アソシエーション）に準拠しており、ＬＣＤパネル５８のカラーフィルタは、例えば、既に説明されたＲＧＢＷレイアウト１２（図１）などのレイアウトを有するペンタイル方式のＲＧＢＷカラーフィルタである。
【００２０】
図７は、モバイルデバイス６０を示す。モバイルデバイス６０は、コンピューティング機能（例えば、携帯情報端末（ＰＤＡ）、ラップトップ、スマートタブレット）、通信機能（例えば、無線スマートフォン）、画像機能、メディア再生機能（例えば、スマートテレビ（ＴＶ））、又はそれらの任意の組み合わせ（例えば、モバイルインターネットデバイス（ＭＩＤ））を有するプラットフォームの一部であり得る。例示された例において、デバイス６０は、システムに電力を供給するバッテリ７２と、システムメモリ６６と通信を行い得る統合メモリコントローラ（ＩＭＣ）６４を有するプロセッサ５０とを具備する。システムメモリ６６は、例えば、デュアルインラインメモリモジュール（ＤＩＭＭ）、スモールアウトラインＤＩＭＭ（ＳＯＤＩＭＭ）など１又は複数のメモリモジュールとして構成された、例えば、ダイナミックランダムアクセスメモリ（ＤＲＡＭ）を具備し得る。
【００２１】
また、例示されたデバイス６０は、チップセットのサウスブリッジと称されること場合がある入出力（ＩＯ）モジュール６８を具備する。入出力（ＩＯ）モジュール６８はホストデバイスとして機能し、例えばＲＧＢＷディスプレイ５３及び大容量記憶装置７０（例えば、ハードディスクドライブ（ＨＤＤ）、光ディスク、フラッシュメモリなど）と通信を行い得る。例示されたプロセッサ５０は、ユーザプレファレンス、ＲＧＢＷディスプレイ５３に提示される画像などに基づいて、ＲＧＢＷディスプレイ５３と関連付けられた動作モードを判断するように構成される、ロジック５２を実行する。ユーザプレファレンスは、ディスプレイ５３（例えば、タッチスクリーン）、又はキーボード、キーパッド、マイク、マウスなど他のユーザ入力デバイスを介して取得され得る。ＲＧＢＷディスプレイ５３に提示される画像は、システムメモリ６６、大容量記憶装置７０、別のプラットフォーム搭載ソース、別のプラットフォーム非搭載ソースなどから、取得され得る。
【００２２】
また、ロジック５２は、ＲＧＢＷディスプレイ５３のＹ／Ｗ輝度比を、動作モードに基づいて制御し得る。例えば、ロジック５２は、ＲＧＢＷディスプレイ５３が低電力モードである場合に、Ｙ／Ｗ輝度比を減少させ、ＲＧＢＷディスプレイ５３が高色忠実度モードである場合に、Ｙ／Ｗ輝度比を増加させ得る。ロジック５２は、代替的には、プロセッサ５０の外部に実装され得る。更に、プロセッサ５０及びＩＯモジュール６８は、システムオンチップ（ＳｏＣ）として、同一の半導体ダイ上に合わせて実装され得る。
【００２３】
［追加の留意点及び複数の例］
【００２４】
例１は、システムに電力を供給するバッテリと、赤緑青白（ＲＧＢＷ）ディスプレイと、少なくとも部分的に固定機能ハードウェアに実装され、ＲＧＢＷディスプレイと関連付けられた動作モードを判断し、動作モードに基づいてＲＧＢＷディスプレイの黄／白（Ｙ／Ｗ）輝度比を制御するロジックとを備える、色忠実度を制御するシステムを具備し得る。
【００２５】
例２は、例１のシステムを具備し得る。ここで、ロジックは、ＲＧＢＷディスプレイが低電力モードである場合に、Ｙ／Ｗ輝度比を減少させ、ＲＧＢＷディスプレイが高色忠実度モードである場合に、Ｙ／Ｗ輝度比を増加させる。
【００２６】
例３は、例１又は２のいずれか１つのシステムを具備し得る。ここで、動作モードはユーザプレファレンスに基づいて判断される。
【００２７】
例４は、例３のシステムを具備し得る。ここで、ロジックはユーザインターフェース（ＵＩ）を生成し、ＵＩを介してユーザプレファレンスを受け取る。
【００２８】
例５は、例１又は２のいずれか１つのシステムを具備し得る。ここで、動作モードは画像に基づいて判断される。
【００２９】
例６は、例５のシステムを具備し得る。ここで、ロジックは、画像と関連付けられたヒストグラムが飽和色優位を示す場合に、高色忠実度モードの動作を選択し、画像と関連付けられたヒストグラムが飽和色優位を示さない場合に、低電力モードの動作を選択する。
【００３０】
例７は、少なくとも部分的に固定機能ハードウェアに実装され、赤緑青白（ＲＧＢＷ）ディスプレイと関連付けられた動作モードを判断し、動作モードに基づいてＲＧＢＷディスプレイの黄／白（Ｙ／Ｗ）輝度比を制御するロジックを備える、色忠実度を制御する装置を具備し得る。
【００３１】
例８は、例７の装置を具備し得る。ここで、ロジックは、ＲＧＢＷディスプレイが低電力モードである場合に、Ｙ／Ｗ輝度比を減少させ、ＲＧＢＷディスプレイが高色忠実度モードである場合に、Ｙ／Ｗ輝度比を増加させる。
【００３２】
例９は、例７又は８のいずれか１つの装置を具備し得る。ここで、動作モードは、ユーザプレファレンスに基づいて判断される。
【００３３】
例１０は、例９の装置を具備し得る。ここで、ロジックはユーザインターフェース（ＵＩ）を生成し、ＵＩを介してユーザプレファレンスを受け取る。
【００３４】
例１１は、例７又は８のいずれか１つの装置を具備し得る。ここで、動作モードは画像に基づいて判断される。
【００３５】
例１２は、例１１の装置を具備し得る。ここで、ロジックは、画像に関連付けられたヒストグラムが飽和色優位を示す場合に、高色忠実度モードの動作を選択し、画像に関連付けられたヒストグラムが飽和色優位を示さない場合に、低電力モードの動作を選択する。
【００３６】
例１３は、赤緑青白（ＲＧＢＷ）ディスプレイと関連付けられた動作モードを判断する段階と、動作モードに基づいてＲＧＢＷディスプレイの黄／白（Ｙ／Ｗ）輝度比を制御する段階とを備える、色忠実度を制御する方法を具備し得る。
【００３７】
例１４は、例１３の方法を具備し得る。ここで、Ｙ／Ｗ輝度比を制御する段階は、ＲＧＢＷディスプレイが低電力モードである場合に、Ｙ／Ｗ輝度比を減少させる段階と、ＲＧＢＷディスプレイが高色忠実度モードである場合に、Ｙ／Ｗ輝度比を増加させる段階とを含む。
【００３８】
例１５は、例１３又は１４のいずれか１つの方法を具備し得る。ここで動作モードは、ユーザプレファレンスに基づいて判断される。
【００３９】
例１６は、ユーザインターフェース（ＵＩ）を生成する段階と、ＵＩを介してユーザプレファレンスを受け取る段階とを更に含む、例１５の方法を具備し得る。
【００４０】
例１７は、例１３又は１４のいずれか１つの方法を具備し得る。ここで、動作モードは画像に基づいて判断される。
【００４１】
例１８は、画像に関連付けられたヒストグラムが飽和色優位を示す場合に、高色忠実度モードの動作を選択する段階と、画像に関連付けられたヒストグラムが飽和色優位を示さない場合に、低電力モードの動作を選択する段階とを更に含む、例１７の方法を具備し得る。
【００４２】
例１９は、デバイスによって実行された場合、デバイスに赤緑青白（ＲＧＢＷ）ディスプレイと関連付けられた動作モードを判断させ、動作モードに基づいてＲＧＢＷディスプレイの黄／白（Ｙ／Ｗ）輝度比を制御させる、複数の命令セットを備える、非一時的コンピュータ可読記憶媒体を具備し得る。
【００４３】
例２０は、デバイスによって実行された場合、デバイスに例１３から１８のいずれか１つの方法を実行させる、複数の命令セットを含む、非一時的コンピュータ可読記憶媒体を具備し得る。
【００４４】
例２１は、色忠実度を制御する装置を具備し得る。装置は、例１３から１８のいずれか１つの方法を実行するための手段を備える。
【００４５】
したがって、本明細書に説明された複数の技術は、所与のプラットフォーム上の様々な使用ケースに対して、電力と品質との最適設計ポイントを提供し得る。更に言えば、ラップトップコンピュータ、タブレットなどの多目的使用のデバイスは、これらの技術を用いて、多種多様な使用ケースにわたって、品質のために電力を妥協するあらゆる必要性を除去し得るし、逆もまた然りである。
【００４６】
複数の実施形態は、全てのタイプの半導体集積回路（「ＩＣ」）チップとの使用に適用可能である。これらのＩＣチップの例には、限定されないが、プロセッサ、コントローラ、チップセットコンポーネント、プログラマブルロジックアレイ（ＰＬＡ）、メモリチップ、ネットワークチップ、システムオンチップ（ＳｏＣ）、ＳＳＤ／ＮＡＮＤコントローラＡＳＩＣ、及び同様のものが含まれる。更に、複数の図面のいくつかにおいて、複数の信号導体線が、線で表される。線によっては、より多くの構成信号パスを示すべく異なっていたり、複数の構成信号パスを示すべく番号符号を有していたり、及び／又は、フロー方向の主要情報を示すべく１又は複数の端部に矢印を有していたりする場合がある。しかしながら、これは、限定するやり方で解釈されるべきではない。むしろ、そのような更なる詳細は、回路の理解しやすさを容易にすべく、１又は複数の例示的な実施形態と関連して用いられ得る。 表されているあらゆる信号線は、追加の情報を有するか否かに関わらず、複数の方向に移動し得て、また例えば、差動対とともに実装されたデジタル又はアナログ線、光ファイバ線、及び／又はシングルエンド線などのあらゆる適切なタイプの信号スキームに実装され得る、１又は複数の信号を実際に備え得る。
【００４７】
例示的な複数のサイズ／モデル／値／範囲が提示されているかもしれないが、複数の実施形態はそれらに限定されない。製造技術（例えば、フォトリソグラフィ）が時の経過と共に成熟するにつれ、より小さいサイズのデバイスが製造され得ることが予期される。更に、ＩＣチップ及び他の複数のコンポーネントへの既知の電源／グラウンド接続は、例示及び説明の簡略化のために、また複数の実施形態の特定の態様を不明瞭にしないように、複数の図の中に示されても、示されなくてもよい。更に、複数の実施形態を曖昧にすることを回避すべく、及び、そのようなブロック図の構成の実装に関する詳細が、実施形態が実装されるプラットフォームに大きく依存している、つまり、そのような詳細が十分に当業者の理解の範囲内であるべきという事実にも鑑みて、複数の構成がブロック図の形態で示され得る。例示的な複数の実施形態を説明すべく、具体的な詳細（例えば、回路）が明記される場合、複数の実施形態がこれらの具体的な詳細なしで又はその変形例で実施されることが可能であることは、当業者に明らかであるべきである。したがって、説明は、限定する代わりに例示的であるとみなされる。
【００４８】
本明細書では、「結合される」という用語は、対象の構成要素間の直接的又は間接的な任意のタイプの関係を指すために使用され得て、電気的接続、機械的接続、流体接続、光学的接続、電磁的接続、電気機械的接続、又は他の複数の接続に適用し得る。更に、「第１の」、「第２の」などの用語は、説明を容易にするためのみに本明細書に使用され得て、別段の指示がない限り、何ら特定の時間的又は経時的な意味を有さない。
【００４９】
当業者は上記の説明から、複数の実施形態の幅広い技術が、様々な形態で実装され得ることを理解されよう。したがって、複数の実施形態は、それらの特定の複数の例と関連して説明されたが、複数の図面、明細書、及び以下の特許請求の範囲を調査する当業者には他の複数の変更が明らかになるので、複数の実施形態の真の範囲はあまり限定されるべきではない。
【図１】
2016532885.tif 000005
【図２】
2016532885.tif 000006
【図３】
2016532885.tif 000007
【図４】
2016532885.tif 000008
【図５】
2016532885.tif 000009
【図６】
2016532885.tif 000010
【図７】
2016532885.tif 000011
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
色忠実度を制御するシステムであって、
前記システムに電力を供給するバッテリと、
赤緑青白（ＲＧＢＷ）ディスプレイと、
少なくとも部分的に固定機能ハードウェアに実装され、前記ＲＧＢＷディスプレイと関連付けられた動作モードを判断し、前記動作モードに基づいて前記ＲＧＢＷディスプレイの黄／白（Ｙ／Ｗ）輝度比を制御するロジックとを備える、システム。
【請求項２】
前記ロジックは、前記ＲＧＢＷディスプレイが低電力モードである場合に、前記Ｙ／Ｗ輝度比を減少させ、前記ＲＧＢＷディスプレイが高色忠実度モードである場合に、前記Ｙ／Ｗ輝度比を増加させる、請求項１に記載のシステム。
【請求項３】
前記動作モードは、ユーザプレファレンスに基づいて判断される、請求項１又は２に記載のシステム。
【請求項４】
前記ロジックは、ユーザインターフェース（ＵＩ）を生成し、前記ＵＩを介して前記ユーザプレファレンスを受け取る、請求項３に記載のシステム。
【請求項５】
前記動作モードは、画像に基づいて判断される、請求項１又は２に記載のシステム。
【請求項６】
前記ロジックは、前記画像と関連付けられたヒストグラムが飽和色優位を示す場合に、高色忠実度モードの動作を選択し、前記画像に関連付けられた前記ヒストグラムが飽和色優位を示さない場合に、低電力モードの動作を選択する、請求項５に記載のシステム。
【請求項７】
色忠実度を制御する装置であって、
少なくとも部分的に固定機能ハードウェアに実装され、赤緑青白（ＲＧＢＷ）ディスプレイと関連付けられた動作モードを判断し、前記動作モードに基づいて前記ＲＧＢＷディスプレイの黄／白（Ｙ／Ｗ）輝度比を制御するロジックを備える、装置。
【請求項８】
前記ロジックは、前記ＲＧＢＷディスプレイが低電力モードである場合に、前記Ｙ／Ｗ輝度比を減少させ、前記ＲＧＢＷディスプレイが高色忠実度モードである場合に、前記Ｙ／Ｗ輝度比を増加させる、請求項７に記載の装置。
【請求項９】
前記動作モードは、ユーザプレファレンスに基づいて判断される、請求項７又は８に記載の装置。
【請求項１０】
前記ロジックは、ユーザインターフェース（ＵＩ）を生成し、前記ＵＩを介して前記ユーザプレファレンスを受け取る、請求項９に記載の装置。
【請求項１１】
前記動作モードは、画像に基づいて判断される、請求項７又は８に記載の装置。
【請求項１２】
前記ロジックは、前記画像に関連付けられたヒストグラムが飽和色優位を示す場合に、高色忠実度モードの動作を選択し、前記画像に関連付けられた前記ヒストグラムが飽和色優位を示さない場合に、低電力モードの動作を選択する、請求項１１に記載の装置。
【請求項１３】
色忠実度を制御する方法であって、
赤緑青白（ＲＧＢＷ）ディスプレイと関連付けられた動作モードを判断する段階と、
前記動作モードに基づいて前記ＲＧＢＷディスプレイの黄／白（Ｙ／Ｗ）輝度比を制御する段階とを備える、方法。
【請求項１４】
前記Ｙ／Ｗ輝度比を制御する段階は、
前記ＲＧＢＷディスプレイが低電力モードである場合に、前記Ｙ／Ｗ輝度比を減少させる段階と、
前記ＲＧＢＷディスプレイが高色忠実度モードである場合に、前記Ｙ／Ｗ輝度比を増加させる段階とを含む、請求項１３に記載の方法。
【請求項１５】
前記動作モードは、ユーザプレファレンスに基づいて判断される、請求項１３又は１４に記載の方法。
【請求項１６】
ユーザインターフェース（ＵＩ）を生成する段階と、
前記ＵＩを介して前記ユーザプレファレンスを受け取る段階とを更に含む、請求項１５に記載の方法。
【請求項１７】
前記動作モードは、画像に基づいて判断される、請求項１３又は１４に記載の方法。
【請求項１８】
前記画像と関連付けられたヒストグラムが飽和色優位を示す場合に、高色忠実度モードの動作を選択する段階と、
前記画像と関連付けられた前記ヒストグラムが飽和色優位を示さない場合に、低電力モードの動作を選択する段階とを更に含む、請求項１７に記載の方法。
【請求項１９】
赤緑青白（ＲＧＢＷ）ディスプレイと関連付けられた動作モードを判断する手順と、
前記動作モードに基づいて前記ＲＧＢＷディスプレイの黄／白（Ｙ／Ｗ）輝度比を制御する手順とをコンピュータに実行させる、プログラム。
【請求項２０】
前記ＲＧＢＷディスプレイが低電力モードである場合に、前記Ｙ／Ｗ輝度比を減少させる手順と、
前記ＲＧＢＷディスプレイが高色忠実度モードである場合に、前記Ｙ／Ｗ輝度比を増加させる手順とをコンピュータに実行させる、請求項１９に記載のプログラム。
【請求項２１】
前記動作モードは、ユーザプレファレンスに基づいて判断される、請求項１９又は２０に記載のプログラム。
【請求項２２】
ユーザインターフェース（ＵＩ）を生成する手順と、
前記ＵＩを介して前記ユーザプレファレンスを受け取る手順とをコンピュータに実行させる、請求項２１に記載のプログラム。
【請求項２３】
前記動作モードは、画像に基づいて判断される、請求項１９又は２０に記載のプログラム。
【請求項２４】
前記画像と関連付けられたヒストグラムが飽和色優位を示す場合に、高色忠実度モードの動作を選択する手順と、
前記画像と関連付けられた前記ヒストグラムが飽和色優位を示さない場合に、低電力モードの動作を選択する手順とをコンピュータに実行させる、請求項２３に記載のプログラム。
【請求項２５】
色忠実度を制御する装置であって、
請求項１３又は１４に記載の方法を実行する手段を備える、装置。
【請求項２６】
請求項１９から２４の何れか一項に記載のコンピュータプログラムを格納する、コンピュータ可読媒体。
【手続補正２】
【補正対象書類名】明細書
【補正対象項目名】００４９
【補正方法】変更
【補正の内容】
【００４９】
当業者は上記の説明から、複数の実施形態の幅広い技術が、様々な形態で実装され得ることを理解されよう。したがって、複数の実施形態は、それらの特定の複数の例と関連して説明されたが、複数の図面、明細書、及び以下の特許請求の範囲を調査する当業者には他の複数の変更が明らかになるので、複数の実施形態の真の範囲はあまり限定されるべきではない。
（項目１）
色忠実度を制御するシステムであって、
上記システムに電力を供給するバッテリと、
赤緑青白（ＲＧＢＷ）ディスプレイと、
少なくとも部分的に固定機能ハードウェアに実装され、上記ＲＧＢＷディスプレイと関連付けられた動作モードを判断し、前記動作モードに基づいて上記ＲＧＢＷディスプレイの黄／白（Ｙ／Ｗ）輝度比を制御するロジックとを備える、システム。
（項目２）
上記ロジックは、上記ＲＧＢＷディスプレイが低電力モードである場合に、上記Ｙ／Ｗ輝度比を減少させ、上記ＲＧＢＷディスプレイが高色忠実度モードである場合に、上記Ｙ／Ｗ輝度比を増加させる、項目１に記載のシステム。
（項目３）
上記動作モードは、ユーザプレファレンスに基づいて判断される、項目１又は２に記載のシステム。
（項目４）
上記ロジックは、ユーザインターフェース（ＵＩ）を生成し、上記ＵＩを介して上記ユーザプレファレンスを受け取る、項目３に記載のシステム。
（項目５）
上記動作モードは、画像に基づいて判断される、項目１又は２に記載のシステム。
（項目６）
上記ロジックは、上記画像と関連付けられたヒストグラムが飽和色優位を示す場合に、高色忠実度モードの動作を選択し、前記画像に関連付けられた上記ヒストグラムが飽和色優位を示さない場合に、低電力モードの動作を選択する、項目５に記載のシステム。
（項目７）
色忠実度を制御する装置であって、
少なくとも部分的に固定機能ハードウェアに実装され、赤緑青白（ＲＧＢＷ）ディスプレイと関連付けられた動作モードを判断し、上記動作モードに基づいて上記ＲＧＢＷディスプレイの黄／白（Ｙ／Ｗ）輝度比を制御するロジックを備える、装置。
（項目８）
上記ロジックは、上記ＲＧＢＷディスプレイが低電力モードである場合に、上記Ｙ／Ｗ輝度比を減少させ、上記ＲＧＢＷディスプレイが高色忠実度モードである場合に、上記Ｙ／Ｗ輝度比を増加させる、項目７に記載の装置。
（項目９）
上記動作モードは、ユーザプレファレンスに基づいて判断される、項目７又は８に記載の装置。
（項目１０）
上記ロジックは、ユーザインターフェース（ＵＩ）を生成し、上記ＵＩを介して上記ユーザプレファレンスを受け取る、項目９に記載の装置。
（項目１１）
上記動作モードは、画像に基づいて判断される、項目７又は８に記載の装置。
（項目１２）
上記ロジックは、上記画像に関連付けられたヒストグラムが飽和色優位を示す場合に、高色忠実度モードの動作を選択し、上記画像に関連付けられた上記ヒストグラムが飽和色優位を示さない場合に、低電力モードの動作を選択する、項目１１に記載の装置。
（項目１３）
色忠実度を制御する方法であって、
赤緑青白（ＲＧＢＷ）ディスプレイと関連付けられた動作モードを判断する段階と、
上記動作モードに基づいて上記ＲＧＢＷディスプレイの黄／白（Ｙ／Ｗ）輝度比を制御する段階とを備える、方法。
（項目１４）
上記Ｙ／Ｗ輝度比を制御する段階は、
上記ＲＧＢＷディスプレイが低電力モードである場合に、上記Ｙ／Ｗ輝度比を減少させる段階と、
上記ＲＧＢＷディスプレイが高色忠実度モードである場合に、上記Ｙ／Ｗ輝度比を増加させる段階とを含む、項目１３に記載の方法。
（項目１５）
上記動作モードは、ユーザプレファレンスに基づいて判断される、項目１３又は１４に記載の方法。
（項目１６）
ユーザインターフェース（ＵＩ）を生成する段階と、
上記ＵＩを介して上記ユーザプレファレンスを受け取る段階とを更に含む、項目１５に記載の方法。
（項目１７）
上記動作モードは、画像に基づいて判断される、項目１３又は１４に記載の方法。
（項目１８）
上記画像と関連付けられたヒストグラムが飽和色優位を示す場合に、高色忠実度モードの動作を選択する段階と、
上記画像と関連付けられた上記ヒストグラムが飽和色優位を示さない場合に、低電力モードの動作を選択する段階とを更に含む、項目１７に記載の方法。
（項目１９）
複数の命令のセットを備え、
上記複数の命令のセットは、デバイスによって実行されると、デバイスに、赤緑青白（ＲＧＢＷ）ディスプレイと関連付けられた動作モードを判断させ、
上記動作モードに基づいて上記ＲＧＢＷディスプレイの黄／白（Ｙ／Ｗ）輝度比を制御させる、非一時的コンピュータ可読記憶媒体。
（項目２０）
上記複数の命令は、実行されると、デバイスに、上記ＲＧＢＷディスプレイが低電力モードである場合に、上記Ｙ／Ｗ輝度比を減少させ、
上記ＲＧＷＢディスプレイが高色忠実度モードである場合に、上記Ｙ／Ｗ輝度比を増加させる、項目１９に記載の媒体。
（項目２１）
上記動作モードは、ユーザプレファレンスに基づいて判断される、項目１９又は２０に記載の媒体。
（項目２２）  上記複数の命令は、実行されると、デバイスに、ユーザインターフェース（ＵＩ）を生成させ、
上記ＵＩを介して上記ユーザプレファレンスを受け取らせる、項目２１に記載の媒体。
（項目２３）
上記動作モードは、画像に基づいて判断される、項目１９又は２０に記載の媒体。
（項目２４）
上記複数の命令は、実行されると、デバイスに、上記画像と関連付けられたヒストグラムが飽和色優位を示す場合に、高色忠実度モードの動作を選択させ、
上記画像と関連付けられた上記ヒストグラムが飽和色優位を示さない場合に、低電力モードの動作を選択させる、項目２３に記載の媒体。
（項目２５）
色忠実度を制御する装置であって、
項目１３又は１４に記載の方法を実行する手段を備える、装置。
【国際調査報告】
2016532885.tif 000012
2016532885.tif 000013
2016532885.tif 000014